(57)【要約】【課題】衣類の左右方向のずれを抑制するハンガーを提供する。【解決手段】ハンガー１は、衣類を引っ掛けて支持する左右一対の衣類支持部７と、衣類支持部７同士の間に位置し衣類支持部同士を連結する連結部９と、を有する本体部３と、本体部３の左右方向の中心からずれた位置に接続される基端５ｂと、フック形状をなす先端５ａと、を有するフック部５と、を備え、衣類支持部７の上縁１５は、連結部９に近づくに従って高くなるように傾斜する第１傾斜部１５ｋと、第１傾斜部１５ｋと連結部９との間に位置し第１傾斜部１５ｋよりも大きい角度で傾斜する第２傾斜部１５ｊと、を有する。【選択図】図１
2018103051.tif 000002
【特許請求の範囲】
【請求項１】
衣類を引っ掛けて支持する左右一対の衣類支持部と、前記衣類支持部同士の間に位置し前記衣類支持部同士を連結する連結部と、を有する本体部と、
前記本体部の左右方向の中心からずれた位置に接続される基端と、フック形状をなす先端と、を有するフック部と、を備え、
前記連結部の上縁は、下方に膨らむ湾曲形状をなし、
前記本体部の上縁は、前記衣類支持部と前記連結部との各境界部に左右一対のピークを含み、左右対称の形状をなし、
前記フック部は、上下方向及び左右方向の両方に直交する視線で見た場合に前記境界部のうちの一方の位置に交差しており、
前記衣類支持部の上縁は、
前記連結部に近づくに従って高くなるように傾斜する第１傾斜部と、
前記第１傾斜部と前記連結部との間に位置し前記第１傾斜部よりも大きい角度で傾斜する第２傾斜部と、を有する、ハンガー。
【請求項２】
衣類を引っ掛けて支持する左右一対の衣類支持部と、前記衣類支持部同士の間に位置し前記衣類支持部同士を連結する連結部と、を有する本体部と、
前記本体部の左右方向の中心からずれた位置に接続される基端と、フック形状をなす先端と、を有するフック部と、を備え、
前記連結部の上縁は、下方に尖ったＶ字形状をなし、
前記本体部の上縁は、前記衣類支持部と前記連結部との各境界部に左右一対のピークを含み、左右対称の形状をなし、
前記フック部は、上下方向及び左右方向の両方に直交する視線で見た場合に前記境界部のうちの一方の位置に交差しており、
前記衣類支持部の上縁は、
前記連結部に近づくに従って高くなるように傾斜する第１傾斜部と、
前記第１傾斜部と前記連結部との間に位置し前記第１傾斜部よりも大きい角度で傾斜する第２傾斜部と、を有する、ハンガー。
【請求項３】
首部開口を自在に開閉出来ないタイプの衣類に使用されるハンガーであって、
一方の前記境界部から他方の前記境界部までの直線距離が１４０〜１８０ｍｍである、請求項１又は２の何れか１項に記載のハンガー。
【請求項４】
前記フック部は、フック状をなす先端側部位と、前記先端側部位と前記本体部とを接続する基端側部位とを有し、
前記連結部の上縁は、下方に膨らむ湾曲形状（但し、前記先端側部位と前記基端側部位との境界部位上の点を中心とする円弧形状を除く）をなす、請求項１に記載のハンガー。
【請求項５】
前記本体部は、上下方向及び左右方向の両方に直交する方向に二重に重ねられた一対の線材を有する、請求項１〜４の何れか１項に記載のハンガー。
【請求項６】
請求項１に記載のハンガーを使用する使用方法であって、
丸首の衣類の両肩部がそれぞれ左右の前記第１傾斜部に引っ掛けられると共に左右の前記第２傾斜部が前記衣類の首部開口から上方に露出した状態になるように、前記丸首の衣類を前記ハンガーにセットする、ハンガーの使用方法。
【請求項７】
請求項６に記載のハンガーの使用方法であって、
前記衣類の首部開口が前記連結部に沿って湾曲した状態とする、ハンガーの使用方法。
【発明の詳細な説明】
【技術分野】
【０００１】
本発明は、ハンガーに関するものである。
【背景技術】
【０００２】
従来、下記特許文献１に記載のハンガーが知られている。このハンガーは、本体部の左側の上縁から右斜め下に向けて延在する切り込み部を備えている。このハンガーには、次の手順で、丸首シャツをセットすることができる。まず、ハンガーの左側を丸首シャツの首部開口に挿入し、丸首シャツの首部開口の縁を一時的に切り込み部に入れた状態で、ハンガーの右側を首部開口にくぐらせる。この手順により、丸首シャツの首部開口を伸ばさずに、ハンガーにセットすることができる旨が提案されている。
【先行技術文献】
【特許文献】
【０００３】
【特許文献１】実開昭６０−８６８１号公報
【発明の概要】
【発明が解決しようとする課題】
【０００４】
しかしながら、上記ハンガーは、形状が左右非対称であるので、衣類の重量やその他の外力による変形も左右非対称になりやすい。その結果、ハンガーに掛けられた衣類が左右にずれてしまうことがあった。本発明は、衣類の左右方向のずれを抑制するハンガーを提供することを目的とする。
【課題を解決するための手段】
【０００５】
本発明のハンガーは、衣類を引っ掛けて支持する左右一対の衣類支持部と、前記衣類支持部同士の間に位置し前記衣類支持部同士を連結する連結部と、を有する本体部と、
前記本体部の左右方向の中心からずれた位置に接続される基端と、フック形状をなす先端と、を有するフック部と、を備え、
前記衣類支持部の上縁は、
前記連結部に近づくに従って高くなるように傾斜する第１傾斜部と、
前記第１傾斜部と前記連結部との間に位置し前記第１傾斜部よりも大きい角度で傾斜する第２傾斜部と、を有する。
【０００６】
また、前記連結部の上縁は、下方に膨らむ左右対称の湾曲形状をなすようにしてもよい。また、前記連結部の上縁は、下方に尖った左右対称のＶ字形状をなすようにしてもよい。
【０００７】
また、ハンガーを上下方向及び左右方向の両方に直交する視線で見た場合に、
前記フック部が、前記衣類支持部の一方と前記連結部との境界部に交差するようになっていてもよい。
【０００８】
また、前記本体部は、上下方向及び左右方向の両方に直交する方向に二重に重ねられた一対の線材を有するようにしてもよい。
【０００９】
また、本発明のハンガーは、前記本体部の前記線材同士の間に架け渡される架橋部材を備え、
前記フック部の基端は、前記線材同士の間に位置し前記架橋部材に接合されているようにしてもよい。
【００１０】
本発明のハンガーは、衣類を引っ掛けて支持する左右一対の衣類支持部と、前記衣類支持部同士の間に位置し前記衣類支持部同士を連結する連結部と、を有する本体部と、
前記本体部の左右方向の中心からずれた位置に接続される基端と、フック形状をなす先端と、を有するフック部と、を備え、
前記衣類支持部の上縁は、
前記連結部に近づくに従って傾斜の角度が大きくなるように湾曲する湾曲部と、
前記湾曲部よりも前記連結部から遠い位置にある第１傾斜部と、
前記湾曲部よりも前記連結部から近い位置にある第２傾斜部と、を有し、
前記第２傾斜部の傾斜の角度が前記第１傾斜部の傾斜の角度よりも大きい。
【発明の効果】
【００１１】
本発明によれば、衣類の左右方向のずれを抑制するハンガーを提供することができる。
【図面の簡単な説明】
【００１２】
【図１】図１（ａ）は、第１実施形態のハンガーの正面図であり、図１（ｂ）はその左側面図であり、図１（ｃ）はその平面図である。
【図２】図２は、ハンガーの使用状態の一例を示す正面図である。
【図３】図３は、本体部とフック部との接合部を矢印III方向から見た矢視図である。
【図４】図４（ａ）は、第２実施形態のハンガーの正面図であり、図４（ｂ）はその左側面図であり、図４（ｃ）はその平面図である。
【図５】図５は、本体部とフック部との接合部を矢印Ｖ方向から見た矢視図である。
【図６】図６は、第３実施形態のハンガーの正面図である。
【図７】図７は、第４実施形態のハンガーの正面図である。
【図８】図８は、第５実施形態のハンガーの正面図である。
【図９】図９（ａ）は、図８におけるIXa-IXa断面図であり、図９（ｂ）は、図８におけるIXb-IXb断面図である。
【図１０】図１０は、第６実施形態のハンガーの正面図である。
【発明を実施するための形態】
【００１３】
以下、図面を参照しつつ本発明に係るハンガーの実施形態について詳細に説明する。
【００１４】
（第１実施形態）
第１実施形態に係るハンガー１について説明する。図１（ａ）は、ハンガー１の正面図であり、図１（ｂ）はハンガー１の左側面図であり、図１（ｃ）はハンガー１の平面図である。本実施形態のハンガー１は衣類用のハンガーであり、主に上半身用の衣類を吊すためものである。ハンガー１の使用状態の一例として、図２に示されるように、ハンガー１に丸首のＴシャツ９１が吊される。なお、以下においても、丸首のＴシャツ９１がハンガー１に吊される状態をハンガー１の使用状態の例として説明に用いる。
【００１５】
本明細書で「上」、「下」、「鉛直」、「水平」などの重力方向に依存する方向をハンガーの説明に用いる場合は、ハンガーの使用状態での姿勢に対応させるものとする。また、「左」、「右」等の文言を用いる場合には、図１（ａ）の左右方向に対応させるものとする。また、上下方向及び左右方向の両方に直交する視線で見たハンガーの形状について説明する場合があるが、このような視線でハンガーを見ることを単に「正面視」と言う場合がある。例えば、図１（ａ）が、正面視したハンガー１を示している。また、上下方向及び左右方向の両方に直交する方向を「ハンガー厚み方向」又は「前後方向」と呼ぶ場合がある。
【００１６】
図１に示されるように、ハンガー１は、本体部３とフック部５とを備えている。本体部３とフック部５とは共に金属部材からなる。本体部３は、左右一対の衣類支持部７を備えている。２つの衣類支持部７同士を区別する場合には、左側に位置するものを衣類支持部７ａと呼び、右側に位置するものを衣類支持部７ｂと呼ぶ。また、本体部３は、衣類支持部７同士を連結する湾曲形状の連結部９を備えている。
【００１７】
本体部３のうち、図１（ａ）の破線Ｌ７ａで囲まれた部位が衣類支持部７ａである。本体部３のうち、図１（ａ）の破線Ｌ７ｂで囲まれた部位が衣類支持部７ｂである。本体部３のうち、図１（ａ）の破線Ｌ９で囲まれた部位が連結部９である。このような衣類支持部７ａ、連結部９、及び衣類支持部７ｂの３つの部位が左右方向に連なって本体部３が構成されている。衣類支持部７と連結部９との２つの境界部８は、本体部３のピーク（最も高い位置）となっている。従来のハンガーに見られるような、衣類支持部７ａと衣類支持部７ｂとの下端同士を直線状に接続する部位は、本体部３には設けられていない。
【００１８】
本体部３は、全体として左右対称の形状に設けられている。図１（ａ）に示される鉛直軸Ｚが、本体部３の左右対称形状の対称軸である。衣類支持部７ａと衣類支持部７ｂとは互いに左右対称の形状に設けられている。連結部９は衣類支持部７同士の間に位置し左右対称の形状に設けられている。連結部９及び連結部９の上縁９ａは、下方に膨らむ左右対称の円弧形状（湾曲形状）をなしている。連結部９の上縁９ａの傾斜の角度は、境界部８に近づくに従って大きくなる。ここで、連結部９の「上縁」とは、正面視における連結部９の輪郭線の上縁を意味する。連結部９が円弧形状をなすことにより、図２に示されるように、連結部９がＴシャツ９１の首部開口９３に沿って存在することになり美観に優れる。衣類支持部７ａは、連結部９の左端から左斜め下方に向けて延びている。衣類支持部７ｂは、連結部９の右端から右斜め下方に向けて延びている。ハンガー１の使用状態において、図２にも例示されるように、衣類支持部７はＴシャツ９１の肩部に挿入され、Ｔシャツ９１の肩部を引っ掛けるようにして、当該Ｔシャツ９１の重量を支持する。
【００１９】
フック部５は、本体部３から上方に延びるように設けられている。図１（ａ）に示されるように、正面視においては、フック部５が、衣類支持部７ａと連結部９との境界部８に交差している。フック部５の基端は、本体部３の左右方向の中心からずれた位置に接続されている。フック部５と本体部３との接合形態については後述する。フック部５の先端５ａはフック形状をなしている。すなわち、フック部５の先端５ａは円弧の一部を描くように湾曲形状をなしている。
【００２０】
ハンガー１の使用状態においては、フック部５が、例えば衣類ラックのハンガーポール（図示せず）に引っ掛けられることで、ハンガー１全体が当該ハンガーポールに掛止される。フック部５の先端５ａは、ほぼ鉛直軸Ｚ上の位置に配置されている。従って、フック部５がハンガーポール等に引っ掛けられたときには、本体部３の全体が鉛直軸Ｚに対してほぼ左右対称の姿勢になった状態でバランスする。
【００２１】
図１（ｂ），（ｃ）にも示されるように、本体部３は、ハンガー厚み方向に二重に重ねられた一対の線材３ｈ、３ｔで形成されている。線材３ｈと線材３ｔとは、本体部３の正面視の形状に沿って平行に延在しており、本体部３の左右方向の両端で接続されている。すなわち、本体部３は、線材３ｈと線材３ｔとを含んで１つの環状に形成された線状の部材で形成されているとも言える。線材３ｈ，３ｔは、例えば円形断面の鋼材からなる。なお、フック部５も同様に、例えば円形断面の鋼材からなる。このように、ハンガー厚み方向に重ねられた二重の線材３ｈ、３ｔで本体部３が形成されているので、本体部３の剛性が確保しやすい。
【００２２】
フック部５の基端５ｂ（図３参照）は、本体部３の左右方向の中心からずれた位置に接合される。具体的には、フック部５の基端５ｂは、境界部８の近傍の接合部１１において本体部３に接合されている。図３は、本体部３とフック部５との接合部１１を矢印III（図１（ａ）参照）の方向から見た矢視図である。接合部１１において、平行に延在する線材３ｈと線材３ｔとの間に、ハンガー厚み方向に架橋部材１３が架け渡されている。架橋部材１３は、例えば、図３の紙面に直交する方向を厚みとし線材３ｈ及び線材３ｔに平行に延在する金属板片である。架橋部材１３は、線材３ｈ及び線材３ｔからハンガー厚み方向にはみ出さない長さに形成されている。架橋部材１３は、線材３ｈと線材３ｔとにそれぞれ溶接等により接合されている。接合部１１において、フック部５の基端５ｂは、線材３ｈと線材３ｔとの間に配置され、線材３ｈ，３ｔと平行に延びている。基端５ｂは、架橋部材１３に溶接等によって接合されている。このように、フック部５は、架橋部材１３を介して本体部３に接合されている。
【００２３】
図１（ａ）に示されるように、衣類支持部７の上縁１５は、連結部９に近づくに従って高くなるように傾斜する第１傾斜部１５ｋを備えている。更に上縁１５は、第１傾斜部１５ｋと連結部９との間に位置する第２傾斜部１５ｊを備え、第２傾斜部１５ｊも、連結部９に近づくに従って高くなるように傾斜している。第２傾斜部１５ｊは、第１傾斜部１５ｋよりも大きい角度で傾斜している。ここで、衣類支持部７の「上縁」とは、正面視における衣類支持部７の輪郭線の上縁を意味する。
【００２４】
ここで、第１傾斜部１５ｋの傾斜の角度とは、正面視において、第１傾斜部１５ｋの接線と水平面とのなす角度をいう。同様に、第２傾斜部１５ｊの傾斜の角度とは、正面視において、第２傾斜部１５ｊの接線と水平面とのなす角度をいう。本実施形態では、第１傾斜部１５ｋと第２傾斜部１５ｊとは、両方とも直線状に延びている。そして、上縁１５が、第１傾斜部１５ｋと第２傾斜部１５ｊとの境界で、斜め下方に内側に向けて尖るようにＶ字に屈曲している。図２に示されるように、Ｔシャツ９１の肩部は、衣類支持部７のうち上縁１５の第１傾斜部１５ｋに引っ掛けられる。
【００２５】
以上説明したハンガー１による作用効果について説明する。
【００２６】
ハンガー１のフック部５は、鉛直軸Ｚからずれた左右非対称の位置において本体部３に接続されている。この構成によれば、図２に示されるように、Ｔシャツ９１をハンガー１にセットする際には、以下のような手順が可能になる。まず、右側の衣類支持部７ｂをＴシャツ９１の首部開口９３に挿入する。次に、首部開口９３の右側の縁９５を、連結部９の上で接合部１１の近傍まで移動させる。そして、左側の衣類支持部７ａを首部開口９３の左側の縁９７にくぐらせ、Ｔシャツ９１を鉛直軸Ｚに対して左右対称の位置に移動させる。この手順により、丸首のＴシャツ９１の首部開口９３を引き伸ばさずに、ハンガー１にセットすることができる。また、ハンガー１には、衣類支持部７ａと衣類支持部７ｂとの下端同士を例えば直線状に接続する部位が存在していない。この構成によっても、ハンガー１にＴシャツ９１をセットし易くなっている。
【００２７】
また、連結部９の上縁９ａが下方に膨らんだ湾曲形状であるので、上縁９ａとフック部５との間のスペースが広く、当該スペースにＴシャツ９１の首部開口９３の右側の縁９５を挿入しやすい。従って、上記のように、首部開口９３の右側の縁９５を連結部９の上で接合部１１の近傍まで移動させるときに、縁９５を移動させやすい。上記のような上縁９ａの形状によっても、ハンガー１にＴシャツ９１をセットし易くなっている。
【００２８】
また、図２に示されるように、ハンガー１にＴシャツ９１がセットされた状態では、衣類支持部７の上縁１５のうち外側の第１傾斜部１５ｋにＴシャツ９１の肩部が引っ掛けられる。そして、上縁１５の第２傾斜部１５ｊは首部開口９３から上方に露出する。この状態で、Ｔシャツ９１が左右方向に移動しようとすれば、首部開口９３の左右の縁９５，９７の移動が、第２傾斜部１５ｊによって阻止される。また、右の縁９５が境界部８を乗り越えて連結部９の上方に移動する可能性も低い。従って、ハンガー１に対するＴシャツ９１の左右方向の位置ずれが抑制される。
【００２９】
（第２実施形態）
図４及び図５を参照しながら第２実施形態に係るハンガー３１について説明する。ハンガー３１の構成要素のうちハンガー１と同一又は同等の構成要素については、図面に同一の符号を付して重複する説明を省略する。
【００３０】
図４に示されるように、ハンガー３１は、ハンガー１の連結部９（図１）に代えて、連結部３９を備えている。連結部３９及び連結部３９の上縁３９ａは、下方に尖った左右対称のＶ字形状をなす。この連結部３９形状によっても、連結部９（図１）の場合と同様に、上縁３９ａとフック部５との間のスペースが広く、当該スペースにＴシャツ９１の首部開口９３の右側の縁９５を挿入しやすく、その結果、ハンガー３１にＴシャツ９１をセットし易くなっている。
【００３１】
また、ハンガー３１は、ハンガー１の接合部１１に代えて、接合部４１を備えている。図５は、本体部３とフック部５との接合部１１を矢印Ｖ（図４参照）方向から見た矢視図である。接合部４１における架橋部材１４は、例えば、ハンガー厚み方向に延在する鋼製の２本の丸棒材である。架橋部材１４は、線材３ｈ及び線材３ｔからハンガー厚み方向にはみ出さない長さに形成されている。架橋部材１４が線材３ｈ，３ｔ及び基端５ｂに溶接等により接合され、フック部５は、２本の架橋部材１４，１４を介して本体部３に接合されている。
【００３２】
（第３実施形態）
図６を参照しながら第３実施形態に係るハンガー５１について説明する。ハンガー５１の構成要素のうちハンガー１と同一又は同等の構成要素については、図面に同一の符号を付して重複する説明を省略する。
【００３３】
図６に示されるハンガー５１は、樹脂製である点で金属製のハンガー１とは異なる。更にハンガー５１は、衣類支持部７ａと衣類支持部７ｂとの下端同士を直線状に接続する水平の底辺部５４を有している。底辺部５４の存在により、本体部３が正面視で環状構造をなす。この構造により、本体部３の剛性が高められ、樹脂製であることによる剛性不足を補うことができる。
【００３４】
（第４実施形態）
図７を参照しながら第４実施形態に係るハンガー７１について説明する。ハンガー７１の構成要素のうちハンガー１と同一又は同等の構成要素については、図面に同一の符号を付して重複する説明を省略する。
【００３５】
ハンガー７１の衣類支持部７は、境界部８の近傍において、緩やかに湾曲する湾曲部７３を備えている。湾曲部７３においては、衣類支持部７の上縁１６は、斜め下方に内側に向けて尖るよう膨らむように湾曲している。上縁１６の傾斜の角度は、連結部に近づくに従って大きくなっている。このような湾曲形状の上縁１６においても、連結部９に近づくに従って高くなるように傾斜する第１傾斜部１６ｋと、第１傾斜部１６ｋと連結部９との間に位置し第１傾斜部１６ｋよりも大きい角度で傾斜する第２傾斜部１６ｊと、が形成される。すなわち、第２傾斜部１６ｊの接線と水平面とのなす角度は、第１傾斜部１６ｋの接線と水平面とのなす角度よりも大きい。
【００３６】
なお、ハンガー７１の構成を以下のように説明することもできる。ハンガー７１では、衣類支持部７の上縁１６は、湾曲部７３と、第１傾斜部１６ｋと、第２傾斜部１６ｊと、を備えている。湾曲部７３は、連結部９に近づくに従って傾斜の角度が大きくなるように湾曲している。第１傾斜部１６ｋは、湾曲部７３よりも連結部９から遠い位置にある。第２傾斜部１６ｊは、湾曲部７３よりも連結部９から近い位置にある。第２傾斜部１６ｊの傾斜の角度は、第１傾斜部１６ｋの傾斜の角度よりも大きい。
【００３７】
（第５実施形態）
図８及び図９を参照しながら第５実施形態に係るハンガー８１について説明する。ハンガー８１の構成要素のうちハンガー１，７１と同一又は同等の構成要素については、図面に同一の符号を付して重複する説明を省略する。
【００３８】
図８に示されるように、ハンガー８１は、ハンガー１の本体部３（図１）に代えて、本体部８３を備えている。本体部８３は本体部３に比べて上下幅が大きく、ハンガー厚み方向の厚みも厚く形成されている。本体部８３は樹脂製であり、例えば射出成形で製作される。図９（ａ）に示されるように、衣類支持部７の断面形状はアーチ形状である。この断面形状により、Ｔシャツ９１の肩部に立体的な丸みを付けてハンガー８１にセットすることができる。また、図９（ｂ）に示されるように、連結部９の断面形状もアーチ形状である。断面がアーチ形状である本体部８３によれば、本体部８３に上下幅及び厚みを持たせながらも、ハンガー８１の重量が極端に大きくなることが避けられる。アーチ形状の中空の部分には、本体部８３の剛性を確保するためのリブ等が適宜設けられてもよい。
【００３９】
ハンガー８１のフック部５は金属製である。金属製のフック部５と樹脂製の本体部８３とが接合部８２において接合されている。フック部５と本体部８３との接合形態の一例としては次のようなものが考えられる。例えば、フック部５の基端が挿入され保持される保持穴（図示せず）が本体部８３に形成されており、当該保持穴でフック部５の基端が保持されるようにしてもよい。
【００４０】
以上のような本体部８３の衣類支持部７の上縁１６においても、連結部９に近づくに従って高くなるように傾斜する第１傾斜部１６ｋと、第１傾斜部１６ｋと連結部９との間に位置し第１傾斜部１６ｋよりも大きい角度で傾斜する第２傾斜部１６ｊと、が形成される。また、換言すれば、ハンガー８１において、衣類支持部７の上縁１６は、湾曲部７３と、第１傾斜部１６ｋと、第２傾斜部１６ｊと、を備えている。湾曲部７３は、連結部９に近づくに従って傾斜の角度が大きくなるように湾曲している。第１傾斜部１６ｋは、湾曲部７３よりも連結部９から遠い位置にある。第２傾斜部１６ｊは、湾曲部７３よりも連結部９から近い位置にある。第２傾斜部１６ｊの傾斜の角度は、第１傾斜部１６ｋの傾斜の角度よりも大きい。
【００４１】
前述の通り、衣類支持部７の「上縁」とは、正面視における衣類支持部７の輪郭線の上縁を意味する。同様に、連結部９の「上縁」とは、正面視における連結部９の輪郭線の上縁を意味する。従って、ハンガー８１においては、図９にも示されるように、衣類支持部７の断面内で最も高い点の集合が、衣類支持部７の上縁１６に相当し、連結部９の断面内で最も高い点の集合が、連結部９の上縁９ａに相当する。
【００４２】
（第６実施形態）
図１０を参照しながら第６実施形態に係るハンガー１０１について説明する。ハンガー１０１の構成要素のうち他の実施形態のハンガーと同一又は同等の構成要素については、図面に同一の符号を付して重複する説明を省略する。
【００４３】
図１０に示されるように、ハンガー１０１の境界部８は、ハンガー７１の境界部８に比べて、小さい曲率半径で湾曲されて折り返されている。連結部９の右端部は、ほぼ第２傾斜部１６ｊに沿って延びている。連結部９の左端は、衣類支持部７ａのうち湾曲部７３の近傍に連結されている。フック部５の基端は、衣類支持部７ａの右端に接続されている。ハンガー１０１は、樹脂成形による樹脂製であってもよく、金属線材で形成されてもよい。ハンガー１０１が金属線材である場合には、連結部９の左端が衣類支持部７ａのうち湾曲部７３の近傍に公知の形態（例えば溶接等）で接合されればよい。
【００４４】
本発明は、上述した実施形態を始めとして、当業者の知識に基づいて種々の変更、改良を施した様々な形態で実施することができる。また、上述した実施形態に記載されている技術的事項を利用して、下記の実施例の変形例を構成することも可能である。各実施形態の構成を適宜組み合わせて使用してもよい。例えば、各実施形態では、ハンガーの左右を固定して説明したが、ハンガーが左右反転されてもよい。
【００４５】
第１〜第３実施形態において、傾斜する第１傾斜部１５ｋと、傾斜する第２傾斜部１５ｊとが直線状であったが、「傾斜する」とは直線が傾斜することには限定されない。すなわち、第１傾斜部１５ｋ及び第２傾斜部１５ｊは曲線であってもよい。要するに、連結部に近づくに従って高さが変化することを「傾斜する」という。またこのとき、前述の通り、正面視において、傾斜する線の接線と水平面とがなす角度を傾斜の角度という。
【００４６】
また、本発明のハンガーに吊下げられる衣類としては、丸首のＴシャツに限られず、ジャケット、ドレスシャツ等の他の上半身用の衣類であってもよい。また、上半身用と下半身用とを一体にしたワンピース構造の衣類であってもよい。要するに、第１傾斜部１５ｋ，１６ｋで支持される肩部を有するような衣類であればよい。但し、丸首のＴシャツなど、襟部にボタン等が無く首部開口を自在に開閉出来ないタイプの衣類に対して、本発明のハンガーが特に好適に使用可能である。また、実施形態では、二重の線材からなる本体部３の例を説明しているが、本体部は一重の線材からなるものであってもよい。また、ハンガーが樹脂製の線材からなる場合には、金属製の線材の場合よりも太くするなど、必要な強度に応じて線材の仕様を適宜決定すればよい。
【００４７】
また、本体部３，８３のうち最も高い２点（例えば、境界部８，８）同士の左右方向の直線距離も、Ｔシャツの一般的な首部開口のサイズに対応して適宜設計することができる。上記直線距離を適切に設定すれば、平均的なＴシャツの首部開口のサイズに適合し易く、多くの種類のＴシャツに対して上述したような左右ずれの抑制の作用効果が得られる。従って、本体部３のうち最も高い２点同士の左右方向の直線距離は、１４０〜１８０ｍｍに設計されることが好ましく、この中でも１５０〜１７０ｍｍに設計されることが更に好ましい。なお、本体部のうち最も高い２点同士の左右方向の直線距離は、例えば、図１（ａ）に符号「Ｗ」で例示されている。
【符号の説明】
【００４８】
１，３１，５１，７１，８１，１０１…ハンガー、３，８３…本体部、３ｈ，３ｔ…線材、５…フック部、５ａ…先端、５ｂ…基端、７…衣類支持部、８…境界部、９，３９…連結部、９ａ，３９ａ…上縁、１３，１４…架橋部材、１５，１６…上縁、１５ｋ，１６ｋ…第１傾斜部、１５ｊ，１６ｊ…第２傾斜部、７３…湾曲部。
【図１】
2018103051.tif 000003
【図２】
2018103051.tif 000004
【図３】
2018103051.tif 000005
【図４】
2018103051.tif 000006
【図５】
2018103051.tif 000007
【図６】
2018103051.tif 000008
【図７】
2018103051.tif 000009
【図８】
2018103051.tif 000010
【図９】
2018103051.tif 000011
【図１０】
2018103051.tif 000012